(57)【特許請求の範囲】
【請求項１】
屋根の下地等に固定可能な取付基板と、
前記取付基板の前端側に、取付基板の前端側に下方に向けて折り曲げ形成した一対の軸受片の間に上端を重合し、軸を貫通して揺動自在に取り付けた吊下杆と、
前記吊下杆を貫通可能な貫通孔を本体部に開設すると共に、前記本体部の前、後には軒樋の耳部を吊下げて支持可能な軒樋支持部を備えた軒樋支持具本体と、
前記吊下杆の揺動を規制するために、前記軒樋支持具本体、吊下杆、取付基板の何れかに設けてなる揺動止め部と、
前記一対の軸受片の内面より膨出させた凸部を有して構成され、前記吊下杆を前記一対の軸受片の一対の凸部を通過させる位置まで移動させて、該吊下杆の揺動を仮止めする揺動仮止め部とを備えたことを特徴とする軒樋支持具。
【発明の詳細な説明】
【技術分野】
【０００１】
本発明は、軒樋を軒先等に吊下げて支持可能な軒樋支持具に関する。
【背景技術】
【０００２】
一般に、従来の軒樋支持具は、前、後に軒樋の耳部を吊下げて該軒樋を支持可能な軒樋支持部を備えた軒樋支持具本体と、前記軒樋支持具本体を軒先等の壁面に固定するための取付部材とを備えてなる。
【０００３】
そして、前記取付部材の基端を軒先等の壁面にネジ、釘等の取付具で固定すると共に、前記取付部材から略水平方向に延設された取付杆に、前記軒樋支持具本体の出具合を調節して連結固定したうえで、前記軒樋支持具本体の軒樋支持部に軒樋の耳部を吊下げて支持するのである（例えば、特許文献１、「図３」参照。）。
【０００４】
ところが、前記取付部材は、軒先等の壁面に固定されるが、軒先等の壁面は、必ずしも鉛直面であるとは限らないため、この壁面の角度（以下、「取付角度」と呼ぶ。）に応じて、取付部材に延設された取付杆の角度を自在に調節する必要があった。
【０００５】
そのため、本出願人等は、前記取付杆の基端に、固定板と調節板を連設した取付部材を設けると共に、この固定板に調節ネジを設けて、当該調節ネジの螺合具合を調節することで、前記取付角度に応じて前記取付杆の取付角度を調節可能な軒樋支持具を開発し、既に出願している（例えば、特許文献１、「図１」、「図２」参照。）。
【特許文献１】特開２００３−２７６８１号
【発明の開示】
【発明が解決しようとする課題】
【０００６】
しかしながら、施工現場等においては、前記軒先等の壁面が少スペースのため前記取付部材を固定できない場合があった。
【０００７】
また、従来の軒樋支持具は、前記取付杆の基端だけを壁面等に固定した所謂一点片持ち支持であるため、例えば、大型の軒樋を支持した場合には、前記取付杆が下方向に大きな負荷を生じるため、当該取付杆が変形する危険があり、軒樋支持具の支持強度が不十分であるという問題もあった。
【０００８】
本発明は、このような課題を解決することを目的とし、樋支持具本体の取付角度を自在に調節可能であって、軒先等の壁面が少スペースであっても確実に取付けでき、しかも、施工後の支持強度が高い軒樋支持具を提供する。
【課題を解決するための手段】
【０００９】
前記目的を達成するため、請求項１に係る軒樋支持具は、屋根の下地等に固定可能な取付基板と、前記取付基板の前端側に、取付基板の前端側に下方に向けて折り曲げ形成した一対の軸受片の間に上端を重合し、軸を貫通して揺動自在に取り付けた吊下杆と、前記吊下杆を貫通可能な貫通孔を本体部に開設すると共に、前記本体部の前、後には軒樋の耳部を吊下げて支持可能な軒樋支持部を備えた軒樋支持具本体と、前記吊下杆の揺動を規制するために、前記軒樋支持具本体、吊下杆、取付基板の何れかに設けてなる揺動止め部と、前記一対の軸受片の内面より膨出させた凸部を有して構成され、前記吊下杆を前記一対の軸受片の一対の凸部を通過させる位置まで移動させて、該吊下杆の揺動を仮止めする揺動仮止め部とを備えたことを特徴とする。
【発明の効果】
【００１１】
本発明によれば、次のような効果がある。
【００１２】
請求項１に係る軒樋支持具によれば、屋根の下地等に取付基板を固定するだけで、この取付基板の前端側に揺動自在に取り付けた吊下杆を介して軒樋支持具本体の取付角度を自在に調節可能とし、しかも、前記軒樋支持具本体の取付角度を調節した後は、揺動止め部によって前記吊下杆の揺動を規制して前記軒樋支持具本体の取付角度を簡単且つ確実に維持できる。
【００１３】
又、屋根の下地等に取付基板を固定することで、前記吊下杆を介して前記軒樋支持具本体を吊下げて支持できるので、軒先等の壁面が少スペースであっても、前記軒樋支持具を確実に取付けできる。
【００１４】
さらに、吊下杆を所望の位置に仮止め可能な揺動仮止め部を設けてなるので、前記吊下杆を所望の位置に仮止めした状態で屋根の下地等に前記取付基板を固定することができ、前記吊下杆及び軒樋支持具本体が作業の邪魔にならず、作業性を高めることができる。
【発明を実施するための最良の形態】
【００１５】
以下、本発明に係る軒樋支持具Ａを図面とともに説明する。
【実施例１】
【００１６】
図１は、本発明に係る軒樋支持具Ａの一実施例を示した斜視図であり、図２（ａ）〜（ｃ）は、図１で示した軒樋支持具Ａの施工例を示した施工状態図である。以下、これら図１、図２に基づき説明する。
【００１７】
本発明の軒樋支持具Ａは、屋根Ｙの下地Ｓ等に固定可能な取付基板１と、この取付基板１の前端側に、上端を揺動自在に取り付けた吊下杆２と、この吊下杆２を貫通可能な貫通孔３１を本体部３２に開設すると共に、本体部３２の前、後には軒樋Ｔの耳部Ｔ１を吊下げて支持可能な軒樋支持部３３を備えた軒樋支持具本体３と、吊下杆２の揺動を規制するために、軒樋支持具本体３、吊下杆２、取付基板１の何れかに設けてなる揺動止め部４と、より構成したことを特徴とする。
【００１８】
取付基板１は、屋根Ｙの下地（梁等も含む、以下同様。）Ｓに固定可能な形状に金属板、硬質樹脂板等を形成してなり、具体的には、取付基板１の前端側に下方に向けて折り曲げた一対の軸受片１１を形成し、この軸受片１１間に吊下杆２の上端を重合して、これら軸受片１１及び吊下杆２に軸１２を貫通して、吊下杆２を揺動自在に取付けている。
【００１９】
又、取付基板１の略中央部には、上方に向けて膨出させたリブ１３を形成して取付基板１の強度を高めている。
【００２０】
更に、リブ１３の後端側には、取付基板１を釘、ネジ等で下地Ｓに固定するための取付孔１４を適所に開設している。
【００２１】
なお、図中１５は、開口であり、このような開口１５を取付基板１に開設しておけば、この取付基板１上に載置する屋根Ｙを固定する際に、屋根Ｙを固定する固定具（不図示）が開口１５を通じて下地Ｓに固定できるうえ、取付基板１の軽量化も図ることができる。
【００２２】
吊下杆２は、ボルト状に形成してなり、前記の通り、吊下杆２の上端を取付基板１の軸受片１１に軸着して揺動自在に取り付けてなる。
【００２３】
又、吊下杆２を所望の位置に仮止め可能な揺動仮止め部５を設けてなり、具体的には、一対の軸受片１１の縁部に各々内側へ膨出した凸部を形成し、これら一対の凸部の隙間を吊下杆２を無理矢理に通過させることで、吊下杆２が前記凸部によって所望の位置に仮止め可能にしている。
【００２４】
このような揺動仮止め部５を設けることで、吊下杆２を所望の位置に仮止めした状態で屋根Ｙの下地Ｓに取付基板１を固定することができ、吊下杆２及び軒樋支持具本体３が作業の邪魔にならず、作業性を高めることができる。
【００２５】
軒樋支持具本体３は、吊下杆２を貫通可能な貫通孔３１を本体部３２に開設すると共に、本体部３２の前、後には軒樋Ｔの耳部Ｔ１を吊下げて支持可能な軒樋支持部３３を備えてなる。
【００２６】
又、本実施例の貫通孔３１は、本体部３２の前、後方向に長孔を形成してなり、このような長孔に形成した貫通孔３１を開設することで、吊下杆２に対して軒樋支持具本体３を前、後方向に移動することができ、軒樋支持具本体３の出具合を所望の位置に調節することができる。
【００２７】
更に、吊下杆２には、軒樋支持具本体３を挟んでナット３４及び蝶ナット３５を各々上、下に設けており、ナット３４を回転して吊下杆２の所望の位置に移動すると共に、蝶ナット３５を締付ければ、軒樋支持具本体３の高さ位置も所望の位置に容易に調節することができる。
【００２８】
揺動止め部４は、吊下杆２の揺動を規制するためのものであり、この揺動止め部４は、軒樋支持具本体３、吊下杆２、取付基板１の何れかに設けてなる。
【００２９】
本実施例の揺動止め部４は、軒樋支持具本体３に設けたものを例示しており、具体的には、軒樋支持具本体３の後端近傍に、断面略Ｌ形状の金属片の一片４１をボルト、ナットやリベット等の固定具４２で固定すると共に、他片４３を下方に向けて延設し、この他片４３の適所にネジ、釘等の止具４４を貫通して、他片４３を軒先等の壁面に固定することで、吊下杆２の揺動を規制するようにしている。
【００３０】
このように、揺動止め部４を軒樋支持具本体３に設けた場合には、屋根Ｙの下地Ｓに取付基板１を固定すると共に、他片４３を軒先等の壁面に固定して、軒樋支持具本体３を所謂二点支持して十分な強度を得ることができ、例えば、大型の軒樋Ｔを支持した場合に軒樋支持具本体３が下方向に大きな負荷を生じても、荷重が取付基板１及び揺動止め部４に分散されて取付基板１及び揺動止め部４が変形する危険を防止でき、軒樋支持具Ａの支持強度を十分に保持できる。
【００３１】
以上のように構成した本発明の軒樋支持具Ａは、以下の要領で施工する。
【００３２】
先ず、新築の家屋等の場合には、屋根Ｙを葺く前の下地Ｓ上に取付基板１を載置したうえで位置決めし、この取付基板１の取付孔１４に釘、ネジ等を打ち込み又は捩じ込んで、取付基板１を下地Ｓに固定する〔図２（ａ）参照。〕
なお、家屋等のリフォーム等の場合には、軒先の屋根Ｙを離脱させたうえで、前記同様に取付基板１を下地Ｓに固定すれば良い。
【００３３】
又、取付基板１を下地Ｓに固定する作業時には、予め吊下杆２を前方に振って揺動仮止め部５によって仮止めしておけば、この仮止めした状態で屋根Ｙの下地Ｓに取付基板１を固定することができ、吊下杆２及び軒樋支持具本体３が作業の邪魔にならず、作業性を高めることができる〔図２（ａ）参照。〕。
【００３４】
次に、この固定した取付基板１上に屋根Ｙを葺くと共に、吊下杆２を後方に押圧して揺動仮止め部５の仮止めを解除したうえで、軒樋支持具本体３の高さ及び出具合を調節し、所望の位置でナット３４及び蝶ナット３５を締め付けて軒樋支持具本体３の取付位置を規制し、揺動止め部４の他片４３にネジ、釘等の止具４４を貫通して、他片４３を軒先等の壁面に固定して、吊下杆２の揺動を確実に規制する〔図２（ｂ）参照。〕。
【００３５】
そして、この所望の位置に固定された軒樋支持具本体３の軒樋支持部３３に軒樋Ｔの耳部Ｔ１を吊下げて施工を完了する〔図２（ｃ）参照。〕。
【００３６】
このように本発明の軒樋支持具Ａによれば、屋根Ｙの下地Ｓに取付基板１を固定するだけで、この取付基板１の前端側に揺動自在に取り付けた吊下杆２を介して軒樋支持具本体３の取付角度を自在に調節可能とし、しかも、軒樋支持具本体３の取付角度を調節した後は、揺動止め部４によって吊下杆２の揺動を規制して軒樋支持具本体３の取付角度を簡単且つ確実に維持できる。
【実施例２】
【００３７】
図３（ａ）、（ｂ）は、本発明に係る軒樋支持具Ａの他の実施例を示した斜視図である。なお、図１、図２と共通する部位には、同一の符号を付して重複する説明を省略し、以下では、本実施例の特徴についてのみ説明する。
【００３８】
本実施例で示す軒樋支持具Ａは、吊下杆２の揺動を規制するための揺動止め部４を、吊下杆２又は取付基板１に設けたものを例示しており、図３（ａ）で示す軒樋支持具Ａは、揺動止め部４を吊下杆２に設けたものであり、図３（ｂ）で示す軒樋支持具Ａは、揺動止め部４を取付基板１に設けたものを各々示している。
【００３９】
具体的には、図３（ａ）で示す軒樋支持具Ａの揺動止め部４は、軒樋支持具本体３の高さを規制するナット３４の上位に、吊下杆２に螺合可能な他の回動自在ナット４５を更に設けたものであり、この回動自在ナット４５を回転することで、揺動止め部４が上、又は、下方向へ移動でき、軒樋支持具本体３の上下調整位置に対応できる。そして、他片４３の適所にネジ、釘等の止具４４を軒先等の壁面に固定することで、吊下杆２の揺動を規制できるものである。
【００４０】
又、図３（ｂ）で示す軒樋支持具Ａの揺動止め部４は、軒樋支持具本体３の後端上部に平面略コ状のアーム材４６を固着し、このアーム材４６の対向する両辺に横長のスライド孔４６ａを開設すると共に、このスライド孔４６ａに重合する縦長のスライド孔４７ａを設けた一対の縦アーム材４７を取付基板１に下設して、これら縦アーム材４７及びアーム材４６のスライド孔４６ａ、４７ａをボルト、ナット等の締結具４８で固着するようにしたものであり、このボルト、ナット等の締結具４８を緩めた状態で軒樋支持具本体３の高さ及び出具合等を調節し、軒樋支持具本体３の取付位置を規制したうえで、所望の位置でボルト、ナット等の締結具４８を締め付けて、吊下杆２の揺動を規制できるものである。
【００４１】
そのため、実施例で示した軒樋支持具Ａによれば、揺動止め部４の他片４３を軒先等の壁面に固定しなくても良く、軒先等の壁面が少スペースであっても、吊下杆２の揺動を確実に規制することができる。
【図面の簡単な説明】
【００４２】
【図１】本発明に係る軒樋支持具Ａの一実施例を示した斜視図である。
【図２】（ａ）〜（ｃ）は、図１で示した軒樋支持具Ａの施工例を示した施工状態図である。
【図３】（ａ）、（ｂ）は、本発明に係る軒樋支持具Ａの他の実施例を示した斜視図である。
【符号の説明】
【００４３】
Ａ    軒樋支持具
Ｔ    軒樋
Ｔ１  耳部
１    取付基板
２    吊下杆
３    軒樋支持具本体
３１  貫通孔
３２  本体部
３３  軒樋支持部
４    揺動止め部
５    揺動仮止め部
【図２】
0004922994.tif 000002
【図１】
0004922994.tif 000003
【図３】
0004922994.tif 000004